(57)【特許請求の範囲】
【請求項１】
所定電子部品（４７）が実装された制御基板（３８）を収納する基板ケース（３９）を搬送ライン（１）で搬送しながら検査する遊技機用基板ケースの検査方法において、前記搬送ライン（１）上の前記基板ケース（３９）の封止手段（４９）（５０）を封止撮像手段（８７）により撮像して、前記基板ケース（３９）が前記封止手段（４９）（５０）にて封止されているか否かを確認する封止確認工程（１５）と、該封止確認工程（１５）で封止が確認された後に前記搬送ライン（１）上の前記基板ケース（３９）の基板識別情報（７９）、及び該基板ケース（３９）内の前記電子部品（４７）の固有識別情報（４８）を読み取る情報読み取り工程（１８）と、該情報読み取り工程（１８）で読み取った前記基板識別情報（７９）及び前記固有識別情報（４８）により管理用のデーターベースを構築する工程とを含むことを特徴とする遊技機用基板ケースの検査方法。
【請求項２】
所定電子部品（４７）が実装された制御基板（３８）を収納する基板ケース（３９）を備えた遊技盤（２３）又は遊技機（２０）を搬送ライン（１）で搬送しながら検査する遊技盤又は遊技機の検査方法において、前記搬送ライン（１）上の前記基板ケース（３９）の封止手段（４９）（５０）を封止撮像手段（８７）により撮像して、前記基板ケース（３９）が前記封止手段（４９）（５０）にて封止されているか否かを確認する封止確認工程（１５）と、該封止確認工程（１５）で封止が確認された後に前記搬送ライン（１）上の前記基板ケース（３９）の基板識別情報（７９）、及び該基板ケース（３９）内の前記電子部品（４７）の固有識別情報（４８）を読み取る情報読み取り工程（１８）と、該情報読み取り工程（１８）で読み取った前記基板識別情報（７９）及び前記固有識別情報（４８）により管理用のデーターベースを構築する工程とを含むことを特徴とする遊技盤又は遊技機の検査方法。
【請求項３】
前記封止確認工程（１５）は、前記封止手段（４９）（５０）の封止状態を撮像する撮像工程（９０）と、該撮像工程（９０）で撮像された画像データを解析して前記封止手段（４９）（５０）が封止状態であるか否かを判定する封止判定工程（９１）とを含むことを特徴とする請求項２に記載の遊技盤又は遊技機の検査方法。
【請求項４】
前記情報読み取り工程（１８）は、前記基板識別情報（７９）及び前記固有識別情報（４８）を撮像する撮像工程（１０６）と、該撮像工程（１０６）で撮像された画像データを解析して所定データに変換するデータ変換工程（１０８）と、該データ変換工程（１０８）で変換された前記所定データを記憶部（１０９）に記憶する記憶工程（１１０）とを含むことを特徴とする請求項２又は３に記載の遊技盤又は遊技機の検査方法。
【請求項５】
前記封止確認工程（１５）と前記情報読み取り工程（１８）との間に、前記封止手段（４９）（５０）が封止されていない前記遊技盤（２３）又は遊技機（２０）を除去する除去工程（１１３）があることを特徴とする請求項２〜４の何れかに記載の遊技盤又は遊技機の検査方法。
【発明の詳細な説明】
【０００１】
【発明の属する技術分野】
本発明は、遊技機用基板ケースの検査方法、及び遊技盤又は遊技機の検査方法に関し、基板ケースの封止状態を検査した後に、その内部に収納された制御基板の電子部品の固有識別情報を検査するものである。
【０００２】
【従来の技術】
パチンコ機等の弾球遊技機では、遊技盤の遊技領域に始動手段、図柄表示手段、大入賞手段等の所定の遊技部品を装着しておき、遊技に際しては、発射手段により遊技領域へと遊技球を発射させる。そして、遊技球を始動手段が検出することを条件に図柄表示手段の複数個の図柄を所定時間変動させると共に、始動手段の遊技球の検出を条件に乱数を抽選して特別遊技状態を発生させるか否かを判定し、特別遊技状態を発生させる旨の判定があった場合に、変動後の図柄が特定態様で停止した後に、大入賞手段の開閉板が開放する特別遊技状態を発生させる。大入賞手段は所定時間が経過するか、又はその間に所定数の遊技球が入賞したときに開閉板が閉じ、また遊技球が大入賞手段内の特定領域を通過することを条件に、特別遊技状態が最大所定回数継続する。
【０００３】
このような特別遊技状態を発生させるか否かの抽選、その他を含む遊技盤側の遊技動作は、遊技機本体の裏側の主基板ケースに収納された主制御基板により制御されており、その主制御基板のＲＯＭ等の所定電子部品を、特別遊技状態の発生確率等の高いものと不正に交換すれば、特別遊技状態を容易に発生させることもできる。
【０００４】
そこで、従来はＲＯＭ等の所定の電子部品にシリアル番号等の固有識別情報が付されたものを使用する一方、その所定電子部品が実装された主制御基板を主基板ケース内に収納した後、この主基板ケースを、開封時の開封痕の残る封止手段により封止する方法を採っている。そして、遊技ホール、その他で検査をすれば、封止手段の開封痕の有無、電子部品の固有識別情報の違い等によって、その不正行為の有無を判断できるようになっている。
【０００５】
【発明が解決しようとする課題】
このような主制御基板が収納された基板ケースを遊技機本体の裏側に備えたパチンコ機等を組み立てる場合には、遊技機メーカーにおいても、その電子部品の固有識別情報を確認して記録し、また封止手段により主基板ケースを確実に封止する必要がある。
【０００６】
しかし、従来はパチンコ機の組み立て後の検査工程で電子部品の固有識別情報、封止手段の封止状態を作業者が目視で確認しているため、封止手段が封止されていないにも拘らず見落としてしまう等の検査漏れの惧れがある。
【０００７】
また主基板ケースを封止する前に電子部品の固有識別情報を確認し、その後に主基板ケースを封止手段で封止する場合には、電子部品の固有識別情報の確認と主基板ケースの封止との間に、主基板ケースを開放して主制御基板を交換し、不正な固有識別情報を読み取らせる等の不正行為が全くないとも断定できない。
【０００８】
本発明は、このような従来の課題に鑑み、基板ケース内の制御基板の電子部品に付された固有識別情報の読み取り、基板ケースの封止状態の確認を確実にでき、しかも検査工程で電子部品を交換して不正な固有識別情報を読み取らせる等の不正行為を防止できる遊技機用基板ケースの検査方法、及び遊技盤又は遊技機の検査方法を提供することを目的とする。
【０００９】
【課題を解決するための手段】
本発明は、所定電子部品４７が実装された制御基板３８を収納する基板ケース３９を搬送ライン１で搬送しながら検査する遊技機用基板ケースの検査方法において、前記搬送ライン１上の前記基板ケース３９の封止手段４９，５０を封止撮像手段８７により撮像して、前記基板ケース３９が前記封止手段４９，５０にて封止されているか否かを確認する封止確認工程１５と、該封止確認工程１５で封止が確認された後に前記搬送ライン１上の前記基板ケース３９の基板識別情報７９、及び該基板ケース３９内の前記電子部品４７の固有識別情報４８を読み取る情報読み取り工程１８と、該情報読み取り工程１８で読み取った前記基板識別情報７９及び前記固有識別情報４８により管理用のデーターベースを構築する工程とを含むものである。
【００１０】
また別の本発明は、所定電子部品４７が実装された制御基板３８を収納する基板ケース３９を備えた遊技盤２３又は遊技機２０を搬送ライン１で搬送しながら検査する遊技盤又は遊技機の検査方法において、前記搬送ライン１上の前記基板ケース３９の封止手段４９，５０を封止撮像手段８７により撮像して、前記基板ケース３９が前記封止手段４９，５０にて封止されているか否かを確認する封止確認工程１５と、該封止確認工程１５で封止が確認された後に前記搬送ライン１上の前記基板ケース３９の基板識別情報７９、及び該基板ケース３９内の前記電子部品４７の固有識別情報４８を読み取る情報読み取り工程１８と、該情報読み取り工程１８で読み取った前記基板識別情報７９及び前記固有識別情報４８により管理用のデーターベースを構築する工程とを含むものである。
【００１１】
【発明の実施の形態】
以下、本発明の各実施形態を図面に基づいて説明する。図１〜図１１は本発明をパチンコ機の組み立てラインに適用した場合の第１の実施形態を例示する。この組み立てラインは、図１及び図２に示すように複数個のコンベヤ、その他の所用機器類等が適宜接続された搬送ライン１に沿って遊技盤組み立てライン２、遊技盤検査ライン３、前枠組み立てライン４、外枠取り付けライン５、封止確認ライン６、本体検査ライン７、証紙貼付ライン８、固有情報読み取りライン９、梱包ライン１０が直列状に設けられている。
【００１２】
そして、この組み立てラインでは、各ライン２〜１０での遊技盤組み立て工程１１、遊技盤検査工程１２、前枠組み立て工程１３、外枠取り付け工程１４、封止確認工程１５、本体検査工程１６、証紙貼付工程１７、固有情報読み取り工程１８、梱包工程１９を経て、パチンコ機２０の組み立て、検査及び梱包の一連の作業がなされる。
【００１３】
組み立て及び検査対象であるパチンコ機２０は、図３〜図５に示すように外枠２１と、この外枠２１に着脱、開閉自在に枢着された前枠２２と、前枠２２に着脱自在に装着された遊技盤２３と、前枠２２の裏側に開閉自在に装着された裏機構板２４とを備えている。なお、外枠２１と前枠２２とにより遊技機本体が構成されている。
【００１４】
前枠２２はガラス扉２５、上皿ユニット２６、下皿ユニット２７、発射手段２８等を備えている。遊技盤２３には遊技領域２９内に始動手段３０、図柄表示手段３１、大入賞手段３２等の各種の遊技部品が装着され、また遊技盤２３の裏側に、各遊技部品を裏側から覆う裏カバー３３が装着されている。裏機構板２４には、遊技球タンク３４、タンクレール３５、払い出し手段３６、通路ユニット３７等が装着され、貸し球払い出し要求、賞球払い出し要求等に応じて払い出し手段３６により、遊技球タンク３４内の遊技球を貸し球、賞球として上皿ユニット２６側へと払い出すようになっている。
【００１５】
裏カバー３３の裏側には主制御基板３８を収納する主基板ケース３９、ランプ制御基板４０を収納するランプ基板ケース４１、音声制御基板４２を収納する音声基板ケース４３等が装着され、また通路ユニット３７の裏側には電源基板４４、払い出し制御基板４５を収納する基板ケース４６が装着されている。
【００１６】
主制御基板３８は遊技盤２３側の各遊技部品による遊技動作を制御するもので、この主制御基板３８にはＣＰＵ、ＲＯＭ、ＲＡＭ等のＩＣ素子を含む電子部品４７が１個又は複数個実装され、その電子部品４７により遊技動作を制御するようになっている。そして、この電子部品４７には、図６に示すようにパチンコ機２０の機種名、製造メーカー名等の他に、製造メーカーによって付された固有識別情報４８が印刷、その他により主基板ケース３９の外部から判読できるように表示されている。固有識別情報４８はチップ管理番号（シリアル番号）とチップロット番号とからなり、この固有識別情報４８によってその電子部品４７を特定できるようになっている。
【００１７】
主基板ケース３９は内部の主制御基板３８側を透視可能な透明な合成樹脂製等であって、必要に応じて開閉可能に構成されている。主基板ケース３９には、この主基板ケース３９を閉じた状態で封止するための１個又は複数個、例えば第１封止手段４９と第２封止手段５０とが裏面側の適当箇所に設けられると共に、基板管理用の管理証紙５１が裏面側の適当箇所に剥離不能又は剥離困難な状態で貼付されている。
【００１８】
各封止手段４９，５０は図８に示すように主基板ケース３９を閉状態でロックする押し込み式、その他の封止ピン５２〜５５，５６〜５９を備え、各封止手段４９，５０の封止ピン５２〜５５，５６〜５９の何れか１個を押し込んで主基板ケース３９を封止した後は、封止ピン５２〜５５，５６〜５９又はその近傍に設けられた破壊部６０〜６３，６４〜６７を破壊しない限り開封できない構造であり、開封したときには破壊部６０〜６３，６４〜６７に開封痕が残るようになっている。
【００１９】
この封止手段４９，５０は、主基板ケース３９の側縁に沿って列状に配置された複数個、例えば４個の封止ピン５２〜５５，５６〜５９と、この各封止ピン５２〜５５，５６〜５９の頭部側を取り囲むように主基板ケース３９に形成されたリング状の突出部６８〜７１，７２〜７５と、各封止ピン５２〜５５，５６〜５９に対応して主基板ケース３９に形成された破壊部６０〜６３，６４〜６７とを有し、４回の封止、開封が可能である。各封止ピン５２〜５５，５６〜５９は通常その頭部が突出部６８〜７１，７２〜７５と略同程度に突出しており、押し込んで主基板ケース３９を封止した場合に頭部が突出部６８〜７１，７２〜７５から引っ込むようになっている。主基板ケース３９を開封する場合には、封止状態にある封止ピン５２〜５５，５６〜５９に対応する破壊部６０〜６３，６４〜６７を開口８３，８４側から工具で切断して破壊することにより、封止ピン５２〜５５，５６〜５９による主基板ケース３９のロックが解除する。
【００２０】
また４個の封止ピン５２〜５５，５６〜５９の内、パチンコ機メーカー側で主基板ケース３９を封止する第１回目の封止用の封止ピン５５，５９は、封止確認工程１５での封止状態の確認を容易にするために他の封止ピン５２〜５４，５６〜５８と異なる色に着色されている。なお、封止手段４９，５０は略同一構造になっているが、種類の異なるものを使用しても良い。また各封止ピン５２〜５５，５６〜５９の色を夫々異ならせても良いし、同一の色にしても良い。
【００２１】
管理証紙５１には、図７に示すようにパチンコ機２０の機種名が印刷されている他、基板管理番号欄７６、開封者記入欄７７、開封年月日記入欄７８等が設けられている。基板管理番号欄７６には、その主基板ケース３９に収納された主制御基板３８に固有の基板識別情報７９として、パチンコ機メーカーによって付された所定の基板管理番号が表示されている。
【００２２】
遊技盤組み立てライン２は遊技盤２３を組み立てる遊技盤組み立て工程１１を実行するためのラインである。この遊技盤組み立てライン２には搬送ライン１に沿って釘打ち機、レール組み付け機等の機器類が配置されており、上流側から供給されるベニヤ板等のパネルに所用部品を順次装着して遊技盤２３を完成させる遊技盤組み立て工程１１が行われる。遊技盤組み立て工程１１は、例えばパネルの表側に遊技釘、ガイドレールを装着する第１工程８０と、パネルのガイドレールの内外に各遊技部品等を装着する第２工程８１と、パネルの裏側に裏カバー３３、主基板ケース３９等を装着する第３工程８２とを含み、これらの第１工程８０から第３工程８２を経て遊技盤２３を組み立てる。
【００２３】
遊技盤組み立て工程１１では、各封止手段４９，５０の端部側の封止ピン５５，５９により１回目の封止がなされた主基板ケース３９を使用し、この遊技盤組み立て工程１１から以後で主制御基板３８の電子部品４７に不正工作を施し得ないようにしている。なお、この遊技盤組み立て工程１１において、主基板ケース３９に主制御基板３８を入れて、その後に各封止手段４９，５０の封止ピン５５，５９を押し込んで封止しても良い。また遊技盤組み立て工程１１の途中に必要に応じて釘検査、遊技部品検査等の検査工程を含ませて、遊技釘の検査、遊技部品の検査等を行うようにしても良い。
【００２４】
遊技盤検査ライン３は組み立て後の遊技盤２３を検査する遊技盤検査工程１２を実行するためのラインであり、この遊技盤検査ライン３には、その搬送ライン１に沿って所定の検査台が設けられている。そして、遊技盤検査工程１２では、遊技盤２３に装着された電動式の遊技部品、各種の検査スイッチ等が正常か否か、或いは主制御基板３８の制御により電動式の遊技部品等が正常に作動するか否か等の各種検査を行う。遊技盤２３に不良箇所があれば適宜補修を行い、補修できないものは除去コンベヤ３ａ等を経て除去する。
【００２５】
前枠組み立てライン４は前枠２２を組み立てる前枠組み立て工程１３を実行するためのラインである。前枠組み立て工程１３では、上流側から供給される前枠２２の前後に上皿ユニット２６、裏機構板２４等を装着すると共に、その前枠２２に遊技盤検査工程１２で検査後の遊技盤２３を装着し、ケーブル等を所用箇所に接続して前枠２２側を完成する。なお、遊技球タンク３４、払い出し手段３６等は裏機構板２４に予め装着しておいても良い。
【００２６】
外枠取り付けライン５は前枠２２に外枠２１を取り付ける外枠取り付け工程１４を実行するためのラインである。外枠取り付け工程１４では、前枠組み立て工程１３で完成した前枠２２に外枠２１を取り付ける。この外枠２１の取り付けによって、パチンコ機２０の全ての組み立てが終了する。
【００２７】
封止確認ライン６は、完成後のパチンコ機２０を検査対象にその主基板ケース３９が封止手段４９，５０にて封止されているか否かを確認する封止確認工程１５を実行するラインである。この封止確認ライン６には図９に示すように搬送ライン１上に配置された第１コンベヤ８５と、この第１コンベヤ８５の下流側に配置され且つ横方向に移動可能な第２コンベヤ８６と、第１コンベヤ８５の側方近傍に配置された封止撮像手段８７と、この封止撮像手段８７の画像データを画像処理して封止手段４９，５０が封止されているか否かを判定する封止判定手段８８と、撮像画像、判定結果等を表示する表示手段９８と、第１コンベヤ８５及び第２コンベヤ８６を制御するコンベヤ制御手段８９とが設けられている。
【００２８】
封止確認工程１５は、封止撮像手段８７により各封止手段４９，５０の封止状態を撮像する撮像工程９０と、この撮像工程９０で撮像された画像データを解析して封止手段４９，５０が封止されているか否かを判定する封止判定工程９１とを含み、組み立て後のパチンコ機２０が封止確認ライン６の第１コンベヤ８５に到達したときに、先ず撮像工程９０で封止撮像手段８７により、第１コンベヤ８５上で起立状態のパチンコ機２０の各封止手段４９，５０の封止状態を裏側から撮像し、次の封止判定工程９１でその画像データを解析して画像処理により各封止手段４９，５０が適正に封止されているか否かを判定する。
【００２９】
封止撮像手段８７は主基板ケース３９の第１封止手段４９を撮像する第１封止撮像カメラ９２と、第２封止手段５０を撮像する第２封止撮像カメラ９３とを備えている。各封止撮像カメラ９２，９３はＣＣＤカメラ等により構成され、封止手段４９，５０の封止ピン５５，５９の頭部側を斜め方向に撮像するようにセットされている。
【００３０】
第１コンベヤ８５は封止手段４９，５０の封止状態の撮像時に検査対象のパチンコ機２０を各封止撮像カメラ９２，９３に対応する位置で停止させて、封止手段４９，５０の撮像後にパチンコ機２０を第２コンベヤ８６側へと搬送するようになっている。第２コンベヤ８６は横移動用のシリンダ９４等を備え、各封止手段４９，５０が正常に封止されておればそのパチンコ機２０を搬送ライン１に沿って下流側へと搬送する。また封止手段４９，５０の封止不良があれば、シリンダ９４の駆動により第２コンベヤ８６を案内レール９４ａに沿って搬送ライン１と略直交する横方向へとａ矢示方向に移動させて、そのパチンコ機２０を搬送ライン１上から封止作業位置Ａ側へと除去し、封止手段４９，５０の再封止後に搬送ライン１側に戻って下流側へと搬送するようになっている。
【００３１】
なお、第２コンベヤ８６は、封止手段４９，５０の封止不良のパチンコ機２０を搬送ライン１から封止作業位置Ａへと除去する除去ラインを構成する。従って、封止確認工程１５と固有情報読み取り工程１８との間に、封止手段４９，５０が封止されていないパチンコ機２０を搬送ライン１から除去する除去工程１１３があり、封止不良のパチンコ機２０があれば、第２コンベヤ８６による除去工程１１３でそのパチンコ機２０を封止作業位置Ａへと除去する。封止作業位置Ａでは封止手段４９，５０の封止ピン５５，５９を押し込んで封止する封止作業工程１１４を実行し、その封止後のパチンコ機２０を第２コンベヤ８６により搬送ライン１へと戻す。
【００３２】
封止判定手段８８は、図１０に示すように、封止撮像手段８７の各封止撮像カメラ９２，９３からの画像データを取り込む画像データ取り込み部９５と、その画像データから封止状態の良否を判定する封止判定部９６と、封止判定部９６が封止不良と判定した場合に不良信号を出力する不良信号出力部９７と、画像データ取り込み部９５、封止判定部９６及び不良信号出力部９７のデータ、信号等に基づいて撮像画像、判定結果等を表示手段９８に出力する出力部９９とを有する。
【００３３】
封止判定部９６は、画像データから封止ピン５５，５９の色の画素を抽出する色抽出部１００と、この色抽出部１００で抽出された色の抽出画素数、又はその画素が占める抽出画素割合を判定基準のしきい値と比較して判定する判定部１０１とを備え、その画素数又は割合がしきい値を越えていた場合に、判定部１０１が封止不良と判定する。即ち、封止ピン５５，５９は封止前にはその頭部が突出部７１，７５と同程度に突出しており、封止後は頭部が突出部７１，７５よりも引っ込む。従って、この封止ピン５５，５９の頭部を封止撮像カメラ９２，９３で斜め方向から撮像すれば、封止の前後で色抽出部１００によって抽出される封止ピン５５，５９の抽出画素数が変化するため、その抽出画素数等を判定基準値と比較することにより、封止手段４９，５０が正常に封止されているか否かを判定できる。
【００３４】
不良信号出力部９７は封止判定部９６が封止不良と判定した場合に不良信号をコンベヤ制御手段８９に出力する。コンベヤ制御手段８９は、検査対象のパチンコ機２０が所定撮像位置に達する毎に停止し、封止撮像手段８７による封止手段４９，５０の撮像後にパチンコ機２０を第２コンベヤ８６側へと搬送するように第１コンベヤ８５を制御する機能と、封止判定手段８８が封止不良と判定した場合に、そのパチンコ機２０が第２コンベヤ８６上に載った後に停止して、第２コンベヤ８６が搬送ライン１から封止作業位置Ａへと横移動し、封止作業位置Ａでの封止手段４９，５０の封止後に第２コンベヤ８６を搬送ライン１側へと戻してパチンコ機２０を下流側へと搬送するように第２コンベヤ８６、シリンダ９４等を制御する機能とを有する。
【００３５】
封止確認を行う場合には、パチンコ機２０が第１コンベヤ８５上の撮像位置まで到達すると、第１コンベヤ８５が止まってパチンコ機２０が撮像位置で停止し、その停止状態で各封止撮像カメラ９２，９３が各封止手段４９，５０の封止ピン５５，５９を撮像し、その画像データに基づいて封止判定手段８８が各封止手段４９，５０の封止状態の良否を判定する。封止判定手段８８では、画像データを色抽出部１００でフィルターにかけて、各封止手段４９，５０毎に封止ピン５５，５９の色の画素を抽出する。そして、封止判定部９６が例えばその抽出画素数を判定基準と比較して、その抽出画素数が判定基準を越えていた場合に、封止手段４９，５０の封止不良と判定する。
【００３６】
２個の封止手段４９，５０の内、その何れか一方でも封止不良であれば、そのときの封止判定部９６からの不良判定によって不良信号出力部９７が不良信号を出力する。そして、封止不良と判定されたパチンコ機２０が第１コンベヤ８５から第２コンベヤ８６上に移動すると、第２コンベヤ８６が搬送を停止して搬送ライン１上から封止作業位置Ａへとａ矢示方向に移動し、搬送ライン１上から封止不良のパチンコ機２０を除去する。封止作業位置Ａでは封止不良と判定された封止手段４９，５０の封止ピン５５，５９を押圧して主基板ケース３９を封止する。封止後に第２コンベヤ８６を搬送ライン１側へと移動させて、そのパチンコ機２０を下流側へと搬送する。封止手段４９，５０が封止不能な場合には、封止作業位置Ａから取り除く。なお、封止後のパチンコ機２０は第１コンベヤ８５側へと戻して封止状態を再度確認しても良い。
【００３７】
本体検査ライン７は封止確認後のパチンコ機２０の最終検査を行う本体検査工程１６を実行するためのものであり、この本体検査ライン７の下流側の側部に修理台１１５が設けられている。本体検査工程１６では、封止確認後の各パチンコ機２０の最終の検査を行う。そして、不良箇所があれば、そのパチンコ機２０を本体修理台１１５上に取り出して修理を行い、その修理後に搬送ライン１上に戻す。
【００３８】
証紙貼付ライン８はパチンコ機２０の主基板ケース３９に管理証紙５１を貼付する証紙貼付工程１７を実行するためのものである。最終検査後のパチンコ機２０は、搬送ライン１で証紙貼付ライン８に送り、この証紙貼付ライン８の証紙貼付工程１７で、基板識別情報７９等が印刷された管理証紙５１を主基板ケース３９に貼付する。この管理証紙５１の貼付は、貼付機により自動的に行っても良いし、手作業で行っても良い。
【００３９】
固有情報読み取りライン９はパチンコ機２０の固有情報を読み取る固有情報読み取り工程１８を実行するためのラインである。この固有情報読み取りライン９には、図１１に示すように搬送ライン１上に配置された第３コンベヤ１０３と、この第３コンベヤ１０３の側方近傍に配置された情報撮像手段１０４とが設けられている。情報撮像手段１０４は適宜インターフェース等を介してパソコン等の管理機１０５に接続されている。
【００４０】
そして、固有情報読み取り工程１８は、電子部品４７の固有識別情報４８、主基板ケース３９の基板識別情報７９等の固有情報を撮像する固有情報撮像工程１０６と、その撮像した固有情報を管理機１０５のデータ処理部１０７で解析して所定データに変換するデータ変換工程１０８と、その所定データを管理機１０５の記憶部１０９に記憶するデータ記憶工程１１０とを含み、そのデータ記憶工程１１０で管理用のデータベースを構築する。
【００４１】
情報撮像手段１０４は主基板ケース３９内の主制御基板３８の電子部品４７に付された固有識別情報４８を撮像する第１情報撮像カメラ１１１と、主基板ケース３９の管理証紙５１に記入された基板識別情報７９を撮像する第２情報撮像カメラ１１２とを備えている。各情報撮像カメラ１１１，１１２はＣＣＤカメラ等により構成され、その第１情報撮像カメラ１１１は電子部品４７の固有識別情報４８に、第２情報撮像カメラ１１２は主基板ケース３９の基板識別情報７９に夫々焦点が定められている。
【００４２】
管理機１０５は情報撮像手段１０４の各情報撮像カメラ１１１，１１２により撮像された固有識別情報４８、基板識別情報７９等の画像データを取り込み、その画像データを解析して固有識別情報４８、基板識別情報７９の文字データに変換し、その固有識別情報４８、基板識別情報７９の文字データに基づいて管理用のデータベースを構築する。なお、データベースは固有識別情報４８、基板識別情報７９を機種、製造年月日、出荷年月日、納入先の遊技ホール名、納入年月日、その他の必要な各データを組み合わせて構築される。
【００４３】
最終検査を終了した各パチンコ機２０が第３コンベヤ１０３の所定位置に到達すると、第３コンベヤ１０３が止まってパチンコ機２０を停止させる。そして、情報撮像手段１０４の各情報撮像カメラ１１１，１１２が電子部品４７の固有識別情報４８、基板識別情報７９を撮像して、その撮像後に第３コンベヤ１０３が起動してパチンコ機２０を下流側へと搬送する。各情報撮像カメラ１１１，１１２が固有識別情報４８、基板識別情報７９を撮像すると、管理機１０５がその画像データを取り込んで解析し、画像データから文字データに変換する。そして、その後、管理機１０５が固有識別情報４８、基板識別情報７９に基づいてデータベースを構築し、データテーブルの該当欄にそのデータを記憶する。
【００４４】
このように封止手段４９，５０の封止状態を確認し、パチンコ機２０の最終検査が終了した後に、そのパチンコ機２０の固有識別情報４８、基板識別情報７９等を情報撮像手段１０４で撮像して読み込み、その固有識別情報４８、基板識別情報７９等に基づいて基板管理用のデータベースを構築することにより、そのデータベースを容易に構築でき、また主基板ケース３９の封止から固有識別情報４８、基板識別情報７９の読み込みまでの間での不正行為を確実に防止できる。
【００４５】
更に固有識別情報４８、基板識別情報７９等に基づいて基板管理用のデータベースを構築しておけば、遊技ホール側から、或るパチンコ機２０の主制御基板３８について不正の疑義等の照会があった場合には、その基板識別情報７９等で検索することにより、電子部品４７の固有識別情報４８を割り出すことができる。このためデータベース上での電子部品４７の固有識別情報４８と、実際のパチンコ機２０の主制御基板３８に装着された電子部品４７の固有識別情報４８とを比較することにより、その電子部品４７が不正に交換されたものか否かを容易に判断することができる。
【００４６】
梱包ライン１０は組み立て後のパチンコ機２０を梱包する梱包工程１９を実行するためのものである。梱包工程１９では、固有情報の読み取りが完了したパチンコ機２０を、出荷可能にパッキングケース等により個別に梱包する。これによってパチンコ機２０の組み立てから梱包までの作業が完了する。
【００４７】
図１２は本発明の第２の実施形態を例示する。この実施形態では、固有情報読み取りライン９の下流側に証紙貼付ライン８が設けられており、固有情報読み取りライン９で固有情報読み取り工程１８を実行した後に、証紙貼付ライン８で証紙貼付工程１７を実行する。
【００４８】
この場合には、固有情報読み取り工程１８の後に、主基板ケース３９に管理証紙５１を貼付する証紙貼付工程１７を実行するため、固有情報読み取り工程１８では電子部品４７の固有識別情報４８の読み取りを行うが、管理証紙５１の基板識別情報７９の読み取りは行わない。
【００４９】
第１の実施形態のように基板識別情報７９、固有識別情報４８に基づいて基板管理用のデータベースを構築する場合には、固有情報読み取り工程１８で基板識別情報７９と固有識別情報４８とを読み取る必要があるが、固有識別情報４８が必要であって、基板識別情報７９が不要な場合には、このように固有情報読み取り工程１８では基板識別情報７９を読み取らなくても良い。
【００５０】
従って、固有情報読み取り工程１８でどの固有情報を読み取るかは、その固有情報の読み取り後のデータの利用形態の如何に関係し、電子部品４７の不正行為の防止等の観点からは少なくともその固有識別情報４８を読み取れば十分である。なお、証紙貼付ライン８の下流側に基板識別情報読み取りラインを設けて、管理証紙５１の貼付後に、その基板識別情報読み取りラインで管理証紙５１の基板識別情報７９を読み取る基板識別情報読み取り工程を実行するように構成することも可能である。
【００５１】
以上、本発明の各実施形態について詳述したが、本発明は各実施形態に限定されるものではなく、本発明の趣旨を逸脱しない範囲内で種々の変更が可能である。例えば、各実施形態では、遊技盤組み立て工程１１での遊技盤２３の組み立てから最終のパチンコ機２０の完成までの一連の作業を連続的に行う組み立てラインに採用した場合を例示しているが、遊技盤２３の組み立て後に管理証紙５１を貼付して遊技盤２３単体で出荷する場合等、遊技盤２３の組み立て後にその主基板ケース３９を封止手段４９，５０で封止して管理証紙５１を貼付する場合には、遊技盤２３の組み立てラインにおいても同様に実施可能である。
【００５２】
また遊技機用の主基板ケース３９に主制御基板３８を入れた後、主基板ケース３９を閉じて封止手段４９，５０で封止する場合には、その主基板ケース３９を遊技盤２３に装着する前の時点において、その封止手段４９，５０の封止状態を確認し、電子部品４７の固有識別情報４８等を読み取るようにしても良い。
【００５３】
封止撮像手段８７等による封止確認工程１５と、電子部品４７の固有情報読み取り工程１８は連続して行うことが望ましいが、封止確認後の遊技盤２３又はパチンコ機２０をストックしておき、その後にストック状態の遊技盤２３又はパチンコ機２０を固有情報読み取りライン９へと順次送って固有情報を読み取っても良い。従って、検査対象物の遊技盤２３又はパチンコ機２０の電子部品４７の固有情報読み取り工程１８の前に、その主基板ケース３９の封止手段４９，５０による封止状態を確認できれば十分である。
【００５４】
パチンコ機２０の組み立てラインに採用する場合にも、遊技盤組み立てライン２での遊技盤組み立て工程１１で順次遊技盤２３を組み立ててストックしておき、その遊技盤２３を取り出して前枠組み立て工程１３で前枠２２に装着するようにした組み立てラインでも同様に実施可能である。
【００５５】
本体検査ライン７での本体検査工程１６で不良箇所があった場合には、実施形態では遊技盤２３、パチンコ機２０等の検査対象物を搬送ライン１から一旦除去して修理台１１５に移し、その修理台１１５で修理を行った後のパチンコ機２０を再度搬送ライン１に戻して次工程へと送っているが、不良箇所のあるパチンコ機２０は搬送ライン１から完全に除去しても良い。
【００５６】
封止手段４９，５０は主基板ケース３９を封止可能であって、封止後に開封した場合にその封止手段４９，５０又は主基板ケース３９の一部に開封痕が残る構成のものであれば良く、封止ピン５２〜５５，５６〜５９以外のものを使用して主基板ケース３９を封止する構造を採用しても良い。またパチンコ機２０の場合には、遊技盤２３側の遊技動作の制御を司る主制御基板３８に装着されたＩＣ等の電子部品４７が最も重要であることから、その主基板ケース３９を封止手段４９，５０で封止する場合を例示しているが、主基板ケース３９以外の各種の基板ケースにおいても同様に採用することが可能である。主基板ケース３９は開閉可能であれば十分である。
【００５７】
また各実施形態では、弾球遊技機の一例としてパチンコ機２０を例示しているが、パチンコ機２０以外のアレンジボール機、雀球遊技機等の弾球遊技機でも同様に実施可能であるし、弾球遊技機以外の各種の遊技機、例えば回胴式遊技機等でも同様に実施可能である。
【００５８】
【発明の効果】
本発明では、基板識別情報７９及び固有識別情報４８の読み取り、基板ケース３９の封止状態の確認を確実にでき、しかも封止状態の確認後に基板識別情報７９及び固有識別情報４８を読み取ってデータベースを構築するため、検査工程で電子部品４７を交換して不正な固有識別情報４８を読み取らせる等の不正行為を防止できると共に、データベースの構築を容易にできる。
【図面の簡単な説明】
【図１】本発明の第１実施形態を示すパチンコ機の組み立てラインの説明図である。
【図２】本発明の第１実施形態を示すパチンコ機の組み立てラインの工程図である。
【図３】本発明の第１実施形態を示すパチンコ機の正面図である。
【図４】本発明の第１実施形態を示すパチンコ機の側面図である。
【図５】本発明の第１実施形態を示すパチンコ機の背面図である。
【図６】本発明の第１実施形態を示す電子部品の正面図である。
【図７】本発明の第１実施形態を示す管理証紙の正面図である。
【図８】本発明の第１実施形態を示す封止手段の斜視図である。
【図９】本発明の第１実施形態を示す封止確認ラインの構成図である。
【図１０】本発明の第１実施形態を示す封止判定手段のブロック図である。
【図１１】本発明の第１実施形態を示す固有情報読み取りラインの構成図である。
【図１２】本発明の第２実施形態を示すパチンコ機の組み立てラインの説明図である。
【符号の説明】
１５  封止確認工程
１８  固有情報読み取り工程
２０  パチンコ機（遊技機）
２３  遊技盤
３８  主制御基板
３９  主基板ケース
４７  電子部品
４８  固有識別情報
４９  第１封止手段
５０  第２封止手段
９０  撮像工程
９１  封止判定工程
１０６  固有情報撮像工程
１０８  データ変換工程
１０９  記憶部
１１０  データ記憶工程
１１３  除去工程
【図１】
0003980365.tif 000002
【図２】
0003980365.tif 000003
【図３】
0003980365.tif 000004
【図４】
0003980365.tif 000005
【図５】
0003980365.tif 000006
【図６】
0003980365.tif 000007
【図７】
0003980365.tif 000008
【図８】
0003980365.tif 000009
【図９】
0003980365.tif 000010
【図１０】
0003980365.tif 000011
【図１１】
0003980365.tif 000012
【図１２】
0003980365.tif 000013